(57)【要約】【課題】  為替帳票に捺印された検印を探し出し、その位置を為替帳票の画像が示されている画面上に示す。【解決手段】  為替取引の依頼を受けた係員の検印が施された為替帳票の画像データを取得し、該画像データに基づいて画面表示し、該表示画面に基づいて係員が所定項目の入力を行い、入力された情報に基づいて為替取引を実行する為替システム１０において、印影の特徴を示す印影データに基づいて前記画像データにおける為替帳票の検印の有無を判定し、検印の位置を検印位置情報として取得する検印位置取得部１４と、前記検印位置情報に基づいて検出した検印の位置を、前記為替帳票の画像が表示される画面上に示す検印位置表示部１６とを備える。【選択図】        図１
2006092175.tif 000002
【特許請求の範囲】
【請求項１】
為替取引の依頼を受けた係員の検印が施された為替帳票の画像データを取得し、該画像データに基づいて画面表示し、該表示画面に基づいて入力係員が所定項目の入力を行い、入力された情報に基づいて為替取引を実行する為替システムにおいて、
印影の特徴を示す印影データに基づいて前記画像データにおける為替帳票の検印の有無を判定し、検印の位置を検印位置情報として取得する検印位置取得部と、
前記検印位置情報に基づいて検出した検印の位置を、前記為替帳票の画像が表示される画面上に示す検印位置表示部とを備えることを特徴とする為替システム。
【請求項２】
前記検印位置取得部は、複数の検印候補の位置を取得することを特徴とする請求項１記載の為替システム。
【請求項３】
更に、印影保持部を備えており、
入力係員により確認された検印の画像が前記印影保持部に保持されることを特徴とする請求項１記載の為替システム。
【請求項４】
前記検印位置取得部は、前記為替帳票に捺印された検印の位置を取得することを特徴とする請求項１記載の為替システム。
【発明の詳細な説明】
【技術分野】
【０００１】
本発明は、為替システムに関し、特に帳票のイメージデータを取得し、該帳票のイメージデータに基づいて画面表示し、該表示画面に基づいて係員が所定項目の入力を行うイメージエントリ型の為替システムに関するものである。
【背景技術】
【０００２】
離れた地域間で現金を受渡する危険や手間を省くために、為替手形や小切手などの信用手段が用いられている。信用手段としては、前記した為替手形や小切手の他に、所定の雛型の帳票に現金の送り元および現金の受取先などを記載した為替帳票を用いた手段もあり、該為替帳票を用いた為替取引を行うためのシステムが従来から知られている。
【０００３】
為替取引システムには、為替帳票の処理方法に応じて、３種類のシステムが一般に知られている。すなわち、為替取引を行うための為替帳票をＯＣＲ認識して所定項目の入力を自動的に行うＯＣＲエントリ型のシステムと、係員が為替帳票を目視し、該為替帳票に記載された内容を手入力処理するダイレクトエントリ型のシステムと、為替帳票のイメージデータを取得し、該イメージデータに基づいて画面表示し、画面に表示される為替帳票の画像に基づいて係員が手入力を行うイメージエントリ型のシステムとである。
【０００４】
これらのシステムにおいて、特にイメージエントリ型の為替システムでは、取得した為替帳票のイメージデータに基づいて為替帳票の画像を画面に表示し、表示画面に基づいて係員が所定の項目を手入力し、入力された情報に基づいて為替取引を行っており、一様な雛型の為替帳票を処理するＯＣＲエントリ型の為替システムでは処理が不可能である多種多様な雛型の為替帳票を処理している。
【発明の開示】
【発明が解決しようとする課題】
【０００５】
ところで、為替システムが処理する為替帳票には、為替取引を行うために必要な内容が記されており、この記載に不備がないか調べた係員の検印が捺印されている。イメージエントリ型の為替システムにおいては、取得する為替帳票のイメージデータに基づいて画面に表示を行い、該表示画面に基づいて係員が所定の項目を手入力すると共に検印の有無を画面上で確認していた。
【０００６】
ところが、前記したイメージエントリ型の為替システムでは、多種多様な雛型の為替帳票を取り扱うことから、為替帳票の画像が表示される画面から、係員が検印の位置を探し出し確認するまで時間を要し、この検印を為替帳票から探し出すまでの手間と時間とが問題になっていた。
従って、本発明の目的は、為替帳票に捺印された検印を探し出し、その位置を為替帳票の画像が示されている画面上に示す為替システムを提供することにある。
【課題を解決するための手段】
【０００７】
本発明は、以上の点を解決するために、次の構成を採用する。
為替取引の依頼を受けた係員の検印が施された為替帳票の画像データを取得し、該画像データに基づいて画面表示し、該表示画面に基づいて係員が所定項目の入力を行い、入力された情報に基づいて為替取引を実行する為替システムにおいて、印影の特徴を示す印影データに基づいて前記画像データにおける為替帳票の検印の有無を判定し、検印の位置を検印位置情報として取得する検印位置取得部と、前記検印位置情報に基づいて検出した検印の位置を、前記為替帳票の画像が表示される画面上に示す検印位置表示部とを備えることを特徴とする。
【０００８】
検印位置取得部は、複数の検印候補の位置を取得することができる。
本発明の為替システムは、更に印影保持部を備えており、入力係員により確認された検印の画像が前記印影保持部に保持されることを特徴とする。
前記検印位置取得部は、前記為替帳票に捺印された検印の位置を取得することができる。
【発明の効果】
【０００９】
本発明の為替システムによれば、検印位置取得部が印影の特徴を示す印影データに基づいて、為替帳票の映像を示す画像データにおける検印の有無を判定し、検印の位置を示す検印情報を取得する。そして検印位置表示部で検印位置情報に基づいて、検出した検印の位置を為替帳票の映像が表示されている画面上に表示することから、係員は帳票に捺印された検印の位置を容易に知り得ることができ、これにより迅速に検印の確認を行うことができる。
【発明を実施するための最良の形態】
【００１０】
以下、本発明の実施形態を図を用いて詳細に説明する。
【実施例１】
【００１１】
本発明の為替システム１０は、図１に示されているように、為替取引を行うための為替帳票の画像データを取得する画像データ取得部１１と、該画像データ取得部で取得した画像データに基づいて画面表示を行う表示部１２と、該表示画面に基づいて係員が為替取引に必要な情報を入力するための入力部１３と、画面表示された為替帳票において、検印の位置を検印位置情報として取得する検印位置取得部１４と、検印を検出するための印影データを保持する印影データベース１５と、取得した検印位置情報に基づいて検印の位置を画面上に示す検印位置表示部１６と、後述するホスト装置と通信するための通信部１７と、を備える。
【００１２】
画像データ取得部１１は為替帳票の画像を画素の集合で示す画像データを取得する。ところで、為替帳票には、為替取引依頼を受け付ける際、為替取引を行うための情報が記載されているか否かチェックした係員の検印が捺印されている。この検印が捺印された為替帳票の画像データを画像データ取得部１１は取得する。
【００１３】
表示部１２は、画像データに基づいて為替帳票の画像を表示する。このとき画面には、図２に示すように、為替帳票の画像の他に係員が項目毎に入力部１３で入力する内容が表示される。
入力する項目としては、例えば為替取引の実行日、取引金額、受取人の金融機関や口座番号、受取人の氏名、依頼人の名義、手数料などである。
【００１４】
印影データベース１５は、印影の特徴を示す印影データを保持する。印影データは、一般的な印鑑形状の楕円や円などの画像の特徴を示すデータであり、例えば画素で示される画像において楕円形状を示す画素の集合や、円形状を示す画素の集合である。
【００１５】
検印位置取得部１４は、取得した画像データにおいて、為替帳票に捺印されている検印を探し、表示部１２の表示画面の為替帳票上における位置を検印位置情報として生成する。具体的には、検印位置取得部１４は印影データベース１５から印影データを取得し、取得した印影データに示される印鑑形状を示す楕円形状を示す画素の集合や、円形状を示す画素の集合に相似する画素の集合が、為替帳票の画像データに含まれているかを判定し、印鑑形状に相似する画素の集合が含まれている場合には、画像データに基づいて表示部１２に表示される為替帳票の検印の位置を示す検印位置情報を生成する。
【００１６】
検印位置情報は、為替帳票の画像が示された画像データにおける検印の位置を示すべく、その位置を画素座標で示している。更に検印位置情報には、該画素座標を基準とした所定の面積の検印探索範囲を指定するために、画素座標からの距離も示されている。これにより、検印位置情報は、検印が捺印された為替帳票の画像データにおける検印の位置を、検印探索範囲で示している。
【００１７】
検印位置表示部１６は、検印位置情報に基づいて、為替帳票の表示画面上に矩形の検印探索範囲を表示する制御を行う（図２参照）。このとき、検印位置表示部１６は、検印探索範囲の配色を為替帳票の表示画面の配色と異なる配色で表示させるべく制御を行う。これにより、為替帳票の画像を表示する表示画面上に検印探索範囲が為替帳票と異なる配色で表示されることから、表示画面上から検印探索範囲を容易に探し出すことができ、該検印探索範囲内の検印を容易に確認することができる。
【００１８】
ところで、本発明の為替システム１０は、図３に示すようにネットワーク構築してもよい。例えば、本発明の為替システム１０は、為替取引の依頼を為替帳票で受け付ける営業店２０と、該営業店２０で受けた為替帳票に基づいて処理を行う事務センタ３０をネットワーク４０を介して接続し、更に事務センタ３０とホスト装置５０とが伝送路６０を介して接続されている。
【００１９】
営業店２０には、為替帳票の画像データを取得するためのスキャナ２１と、該スキャナを制御するためのスキャナＰＣ２２とが設けられており、画像データ取得部１１としての機能が営業店に備わっている。
【００２０】
事務センタ３０には、為替サーバ３１、Ｗｅｂサーバ３２、通信サーバ３３およびエントリＰＣ３４が設けられており、前記各装置が構内ネットワークを介して接続されている。
【００２１】
為替サーバ３１は、前記した検印位置取得部１４および印影データベース１５の機能を備えており、すなわち営業店２０からの為替帳票の画像データを取得すると、印影の特徴を示す印影データに基づいて、表示部１２の表示画面の為替帳票上における検印の位置を示す検印位置情報を生成する。
【００２２】
Ｗｅｂサーバ３２は、営業店からのイメージデータに基づいて係員が操作するエントリＰＣ３４のモニタにＷｅｂ形式で表示するための制御を行うと共に、為替サーバ３１で取得した検印位置情報に基づいて、為替帳票の表示画面上に矩形の検印探索範囲を表示する制御を行う検印位置表示部１６としての機能を備えている。
【００２３】
エントリＰＣ３４は、Ｗｅｂサーバ３２で制御される画面を表示する表示部１２としてのモニタと、該画面表示に基づいて係員が情報を入力するための入力部１３としてのキーボードおよびマウスとが設けられている。
【００２４】
通信サーバ３３は、ネットワークを介して営業店２０と通信するための機能を備えており、またエントリＰＣ３４で入力された情報に基づいて為替取引を実行するためのホスト装置５０と通信するための機能も備えている。
【００２５】
ホスト装置５０は、事務センタ３０のエントリＰＣ３４で入力された情報に基づいて、為替取引の実質的な処理を行う。
【００２６】
次に、本発明の為替システム１０の動作を図４のフローチャートに沿って説明する。
為替取引依頼者からの為替取引依頼を営業店２０で受けるべく、依頼内容が記載された為替帳票を営業店２０の係員が受取る。係員は、為替帳票に記載された内容を確認した後、為替帳票に検印を捺印する。
【００２７】
検印が捺印された為替帳票は、スキャナＰＣ２２の制御を受けるスキャナ２１により画像データが取得される（ステップＳ１）。営業店で取得した画像データは、ネットワーク４０を介して通信サーバ３３で取得されると、該通信サーバ３３から構内ネットワークを介して為替サーバ３１へ送られる（ステップＳ２）。
【００２８】
画像データを取得した為替サーバ３１は、図示しないデータベースに保持されている印影データに基づいて、為替帳票に捺印されている検印を探し、エントリＰＣ３４のモニタに画面表示される為替帳票における検印の位置を示す検印位置情報を生成する（ステップＳ３）。
【００２９】
検印位置情報はＷｅｂサーバ３２に送られると（ステップＳ４）、該Ｗｅｂサーバ３２は、エントリＰＣ３４のモニタ画面に検印の位置を示す検印探索範囲を表示する制御を行う（ステップＳ５）。図２に示すように、モニタの表示画面上で検印の周辺を矩形に囲んだ検印探索範囲が表示されることにより、係員は容易に検印の位置を把握して、迅速に検印の確認を行うことができる。
【００３０】
ところで、Ｗｅｂサーバ３２は、図５に示すように、為替サーバ３１で複数の検印候補を探させ、各検印候補の検印位置情報を生成させて、該各検印位置で示されるのするように表示してもよく、その際、図６に示す画面表示例のように、マウスやファンクションキーなどで操作可能の検印切替ボタンおよび検印確定ボタンを設け、検印切替ボタンで検印候補の検索範囲を順次切替え、検印確定ボタンで複数の検印候補から所望の検印を確定するようにしてもよい。検印確定ボタンの押下により確定された検印は、為替帳票の画像データから切り出されて図示しない印影保持部に保持される。印影保持部に保持された印影の画像は、必要に応じて後日参照される。
【００３１】
また、入力部１３で選択した検印候補を、図６に示すように、別途拡大表示してもよく、これにより検印を迅速かつ確実に確認することができる。
【００３２】
本発明の為替システム１０によれば、取得した為替帳票のイメージデータに基づいて、前記画像データにおける為替帳票の検印の有無を判定し、検印の位置を検印位置情報として生成する。そして検印位置情報に基づいて、検出した検印の位置を、前記為替帳票の画像が表示される画面上に表示することから、係員は容易に検印の位置を把握して、迅速に検印の確認を行うことができる。
【産業上の利用可能性】
【００３３】
前記した実施例では、検印候補を探し出し、その検印候補の位置を検印探索範囲で表示したが、単に検印候補を探すだけでなく、例えば予め検印者の検印の画像データをデータベースに登録しておき、このデータベースに登録されている検印と、検印候補とを照合して、検印の照合を行うようにしてもよい。これにより、エントリ係員による照合と機械による照合との２重照合を行うことができ、検印を確実に確認することができる。
【図面の簡単な説明】
【００３４】
【図１】本発明の為替システムを示すブロック図である。
【図２】表示画面例を示す図である。
【図３】本発明の為替システムのネットワーク構築図である。
【図４】本発明の為替システムの動作を示すフローチャートである。
【図５】複数の検印候補を示す図である。
【図６】複数の検印候補に対応した表示画面例である。
【符号の説明】
【００３５】
１０  為替システム
１１  画像データ取得部
１２  表示部
１３  入力部
１４  検印位置取得部
１５  印影データベース
１６  検印位置表示部
１７  通信部
【図１】
2006092175.tif 000003
【図２】
2006092175.tif 000004
【図３】
2006092175.tif 000005
【図４】
2006092175.tif 000006
【図５】
2006092175.tif 000007
【図６】
2006092175.tif 000008